(57)【要約】【課題】ＴＶモジュールとＢＤレコーダモジュールなどの複数モジュールを組み合わせたＡＶ機器において、記録メディアを用いた１回のバージョンアップ処理により、複数モジュールをバージョンアップする。【解決手段】ＡＶ機器１は、ＴＶ放送信号を受信するＴＶモジュール１０と、ＢＤを着脱可能に装着するＢＤモジュール２０とを備える。ＢＤは、ＴＶモジュール１０のソフトウェアを更新するためのＴＶ用更新データと、ＢＤモジュール２０のソフトウェアを更新するためのレコーダ用更新データとを記録する。ＢＤモジュール２０は、ＢＤからＴＶ用更新データとレコーダ用更新データとを読み出して、レコーダ用更新データに基づいて、ＢＤモジュール２０のソフトウェアを更新すると共に、ＴＶ用更新データをトランスポートストリーム形式でＴＶモジュール１０に出力する。ＴＶモジュール１０は、このＴＶ用更新データに基づいてソフトウェアを更新する。【選択図】図１
2010041681.tif 000002
【特許請求の範囲】
【請求項１】
テレビジョン放送信号を受信するテレビ部と、外部記録媒体を着脱可能に装着するレコーダ部とを備えたＡＶ機器であって、
前記外部記録媒体は、前記テレビ部のソフトウェアを更新するためのテレビ用更新データと、前記レコーダ部のソフトウェアを更新するためのレコーダ用更新データとを記録し、
前記レコーダ部は、前記外部記録媒体から前記テレビ用更新データと前記レコーダ用更新データとを読み出して、前記レコーダ用更新データに基づいて、前記レコーダ部のソフトウェアを更新すると共に、前記テレビ用更新データをトランスポートストリーム形式で前記テレビ部に出力し、
前記テレビ部は、前記レコーダ部から出力された前記テレビ用更新データに基づいて、前記テレビ部のソフトウェアを更新することを特徴とするＡＶ機器。
【請求項２】
請求項１に記載のＡＶ機器において、前記テレビ用更新データは、パーシャルトランスポートストリームで構成され、
前記レコーダ部は、前記外部記録媒体から前記パーシャルトランスポートストリームを読み出して、該読み出したパーシャルトランスポートストリームを前記テレビ部に出力することを特徴とするＡＶ機器。
【請求項３】
請求項１に記載のＡＶ機器において、前記テレビ用更新データは、バイナリデータで構成され、
前記レコーダ部は、前記外部記録媒体から前記バイナリデータを読み出しながらパーシャルトランスポートストリームに変換し、該変換したパーシャルトランスポートストリームを前記テレビ部に出力することを特徴とするＡＶ機器。
【請求項４】
請求項３に記載のＡＶ機器において、前記レコーダ部は、前記バイナリデータにＰＳＩ／ＳＩ(Program Specific Information/Service Information)を挿入することにより、前記パーシャルトランスポートストリームに変換することを特徴とするＡＶ機器。
【請求項５】
請求項２〜４のいずれか１項に記載のＡＶ機器において、前記レコーダ部は、前記パーシャルトランスポートストリームにＮＵＬＬパケットを挿入することにより、フルトランスポートストリームに変換し、該変換したフルトランスポートストリームを前記テレビ部に出力することを特徴とするＡＶ機器。
【請求項６】
請求項１に記載のＡＶ機器において、前記テレビ用更新データは、フルトランスポートストリームで構成され、
前記レコーダ部は、前記外部記録媒体から前記フルトランスポートストリームを読み出してメモリに展開し、該メモリに展開したトランスポートストリームを前記テレビ部に出力することを特徴とするＡＶ機器。
【請求項７】
請求項１〜６のいずれか１項に記載のＡＶ機器において、前記パーシャルトランスポートストリームあるいは前記フルトランスポートストリームは、ＤＳＭ−ＣＣデータカルーセル形式のトランスポートストリームであることを特徴とするＡＶ機器。
【発明の詳細な説明】
【技術分野】
【０００１】
本発明は、ＡＶ機器に関し、より詳細には、テレビモジュールとＢＤ(Blu-ray Disc)レコーダモジュールなどの複数モジュールを組み合わせたＡＶ機器に関する。
【背景技術】
【０００２】
通常のデジタル放送では、複数チャンネル分のＴＳ（トランスポート・ストリーム）が多重化されたフルＴＳと呼ばれるものが送出されている。ＭＰＥＧ２ＴＳでは１８８バイト固定長のパケット列で構成される。例えば、チューナ付きＢＤレコーダでＴＳをＢＤに記録する場合、この放送から送られてくるＭＰＥＧ２ＴＳ（フルＴＳ）から不要なパケットを除去して録画したいチャンネルの再生に必要なデータのみを抜き出したパーシャルＴＳを記録する。この際、不要なパケットを取り除くことで生じた間隔を詰めるようにしている。
【０００３】
また、記録したＭＰＥＧ２ＴＳを正しく復号するためには、復号の際に隣接するパケット間の時間間隔を放送局で送ったものと同じに復元する必要がある。しかし、上記のように不要なパケットを取り去って単純に記録した場合、再生時に元のパケット間の間隔がわからなくなってしまう。
そこで、ＢＤレコーダでは、パケット間の時間間隔を再現できるように、タイムスタンプを各パケットの先頭に付加して記録する。これにより、再生時にタイムスタンプを見て、各パケットをデコーダに送る送出タイミングを調整することで、正しく再生ができるようになる。
【０００４】
また、このようなＢＤレコーダでは、ＤＳＭ−ＣＣ(Digital Storage Media Command and Control)データカルーセル形式のＴＳを受信することで、必要なデータをダウンロードすることができる。このＤＳＭ−ＣＣデータカルーセル伝送方式は、ＩＳＯ／ＩＥＣ  １３８１８−６で定義されており、受信機に対してデータを繰り返し送信することで、受信機は放送時間中の任意時点で必要なダウンロードデータを取得することができる。データは、ブロックに分割されたモジュール単位で伝送される。
【０００５】
また、ＡＲＩＢ  ＳＴＤ−Ｂ２４では、上記ＩＳＯ／ＩＥＣ  １３８１８−６に定められたUser-to-Networkダウンロードプロトコルのうち、Download Data Block(ＤＤＢ)メッセージとDownload Info Indication(ＤＩＩ)メッセージとを用いてデータを転送することが定められている。データ本体は、ブロックに分割された各モジュールとしてＤＤＢメッセージによって伝送される。ＤＩＩメッセージは、ＤＳＭ−ＣＣメッセージヘッダ（dsmccMessageHeader）を持ち、この中で、当該メッセージがＭＰＥＧ２ＤＳＭ−ＣＣメッセージであることを示す情報や、ＭＰＥＧ２ＤＳＭ−ＣＣメッセージの種類を示す情報などが設定される。例えば、データカルーセル伝送におけるＤＩＩメッセージでは“０ｘ０３（Ｕ-Ｎダウンロードメッセージ）”に設定される。
【０００６】
従来、ＣＰＵを搭載したデジタルＡＶ機器には、製品としての形態で、ソフトウェアのバージョンアップが可能なものがある。例えば、デジタル放送対応のテレビ装置（ＴＶ）の場合には上記のように放送波のダウンロードによるバージョンアップや、ＢＤプレーヤやＤＶＤ(Digital Versatile Disc)プレーヤなどの再生機器の場合には記録メディアによるバージョンアップが行われている。
【０００７】
デジタル放送対応ＴＶの場合、ユーザへのソフトウェアのバージョンアップサービスとして放送波によるダウンロードを用いることは、例えば特許文献１に記載されているように一般的に行われている。
一方、緊急な対応でサービスマンがソフトウェアを書き換えるケースや、修理でソフトウェアをバージョンアップする際には、その場で対応可能となるメディアによるバージョンアップが必要となる。このメディアとしては、ＳＤカードやＵＳＢメモリが考えられる。
【０００８】
ここで、ソフトウェアのバージョンアップが可能な機器を複数組み合わせた機器を設計するときに、設計の都合上、複数のモジュールを一つの筐体に組み込んだ機器となる場合がある。例えば、ＢＤレコーダ内蔵ＴＶなどが製品化されている。このような製品でソフトウェアのバージョンアップを行うとき、それぞれ元々の機器（ＴＶ，ＢＤレコーダ）に対応したバージョンアップ方法で、それぞれのモジュールのバージョンアップを実行することになる。
【０００９】
図７は、従来のテレビ装置及びＢＤプレーヤにおけるソフトウェアバージョンアップ方法を説明するためのブロック図である。図７（Ａ）はテレビ装置の構成例を示し、図７（Ｂ）はＢＤプレーヤの構成例を示す。なお、このＢＤプレーヤはＢＤレコーダであっても同様である。
【００１０】
図７（Ａ）において、１００はテレビ装置で、該テレビ装置１００は、アンテナ１０１と、フロントエンド部１０２、ＣＡデスクランブル部１０３、ＭＰＥＧ２ＤＥＭＵＸ１０４、ＣＰＵ１０５、不揮発性メモリ１０６、映像処理部１０７、表示部１０８、音声処理部１０９、及びスピーカ１１０を備える。
【００１１】
テレビ装置１００に記憶されているファームウェア等のソフトウェアをバージョンアップする場合には、放送衛星経由で、新バージョンのソフトウェアが重畳された搬送波（フルＴＳ）が送信される。テレビ装置１００は、不揮発性メモリ１０６に旧（現在使用中の）バージョンのソフトウェアを記憶しており、搬送波により新バージョンのソフトウェアを取得すると、ＣＰＵ１０５がこの新バージョンのソフトウェアにより旧バージョンのソフトウェアを書き換えてバージョンアップ（更新）を行う。
【００１２】
また、図７（Ｂ）において、２００はＢＤプレーヤで、該ＢＤプレーヤ２００は、光ディスクドライブ２０１、再生制御部２０２、ＭＰＥＧ２ＤＥＭＵＸ２０３、ＣＰＵ２０４，不揮発性メモリ２０５、映像処理部２０６、及び音声処理部２０７を備える。
【００１３】
ＢＤプレーヤ２００に記憶されているファームウェア等のソフトウェアをバージョンアップする場合には、技術担当者等が新バージョンのソフトウェアが記憶されたＣＤ，ＤＶＤ，ＢＤなどの記録媒体をＢＤプレーヤ２００に装着する。ＢＤプレーヤ２００は、不揮発性メモリ２０５に旧バージョンのソフトウェアを記憶しており、記録媒体から新バージョンのソフトウェアを取得すると、ＣＰＵ２０４がこの新バージョンのソフトウェアにより旧バージョンのソフトウェアを書き換えてバージョンアップ（更新）を行う。
【特許文献１】特開２００５−１２７６６号公報
【発明の開示】
【発明が解決しようとする課題】
【００１４】
ここで、複数のモジュールを一つの筐体に組み込んだ機器とした場合に、前述の図７に示したように、それぞれ元々の機器（ＴＶ，ＢＤプレーヤ）に対応したバージョンアップ方法で、それぞれのモジュールのバージョンアップを実行することになる。従って、１つの機器に対して２回のバージョンアップを行うことになるため、バージョンアップ作業に手間と時間がかかってしまい、ユーザやメーカに大きな負担となっていた。
【００１５】
上記機器に対して、理想的には１回のバージョンアップで、２つのモジュールのバージョンアップを行うことが望ましい。しかしながら、このような機器ではシステム上の制約が多いため、上記のような新規のバージョンアップ機能を実装することはこれまで行われていなかった。
【００１６】
本発明は、上述のごとき実情に鑑みてなされたものであり、ＴＶモジュールとＢＤレコーダモジュールなどの複数モジュールを組み合わせたＡＶ機器において、記録メディアを用いた１回のバージョンアップ処理により、複数モジュールのソフトウェアをバージョンアップできるようにすること、を目的とする。
【課題を解決するための手段】
【００１７】
上記課題を解決するために、第１の技術手段は、テレビジョン放送信号を受信するテレビ部と、外部記録媒体を着脱可能に装着するレコーダ部とを備えたＡＶ機器であって、前記外部記録媒体は、前記テレビ部のソフトウェアを更新するためのテレビ用更新データと、前記レコーダ部のソフトウェアを更新するためのレコーダ用更新データとを記録し、前記レコーダ部は、前記外部記録媒体から前記テレビ用更新データと前記レコーダ用更新データとを読み出して、前記レコーダ用更新データに基づいて、前記レコーダ部のソフトウェアを更新すると共に、前記テレビ用更新データをトランスポートストリーム形式で前記テレビ部に出力し、前記テレビ部は、前記レコーダ部から出力された前記テレビ用更新データに基づいて、前記テレビ部のソフトウェアを更新することを特徴としたものである。
【００１８】
第２の技術手段は、第１の技術手段において、前記テレビ用更新データは、パーシャルトランスポートストリームで構成され、前記レコーダ部は、前記外部記録媒体から前記パーシャルトランスポートストリームを読み出して、該読み出したパーシャルトランスポートストリームを前記テレビ部に出力することを特徴としたものである。
【００１９】
第３の技術手段は、第１の技術手段において、前記テレビ用更新データは、バイナリデータで構成され、前記レコーダ部は、前記外部記録媒体から前記バイナリデータを読み出しながらパーシャルトランスポートストリームに変換し、該変換したパーシャルトランスポートストリームを前記テレビ部に出力することを特徴としたものである。
【００２０】
第４の技術手段は、第３の技術手段において、前記レコーダ部は、前記バイナリデータにＰＳＩ／ＳＩ(Program Specific Information/Service Information)を挿入することにより、前記パーシャルトランスポートストリームに変換することを特徴としたものである。
【００２１】
第５の技術手段は、第２〜第４のいずれか１の技術手段において、前記レコーダ部は、前記パーシャルトランスポートストリームにＮＵＬＬパケットを挿入することにより、フルトランスポートストリームに変換し、該変換したフルトランスポートストリームを前記テレビ部に出力することを特徴としたものである。
【００２２】
第６の技術手段は、第１の技術手段において、前記テレビ用更新データは、フルトランスポートストリームで構成され、前記レコーダ部は、前記外部記録媒体から前記フルトランスポートストリームを読み出してメモリに展開し、該メモリに展開したトランスポートストリームを前記テレビ部に出力することを特徴としたものである。
【００２３】
第７の技術手段は、第１〜第６のいずれか１の技術手段において、前記パーシャルトランスポートストリームあるいは前記フルトランスポートストリームは、ＤＳＭ−ＣＣデータカルーセル形式のトランスポートストリームであることを特徴としたものである。
【発明の効果】
【００２４】
本発明によれば、ＴＶモジュールとＢＤレコーダモジュールなどの複数モジュールを組み合わせたＡＶ機器において、記録メディアを用いた１回のバージョンアップ処理により、複数モジュールのソフトウェアをバージョンアップすることができる。
【発明を実施するための最良の形態】
【００２５】
以下、添付図面を参照しながら、本発明のＡＶ機器に係る好適な実施の形態について説明する。
【００２６】
図１は、本発明の一実施形態に係るＡＶ機器の要部構成例を示すブロック図で、１はＡＶ機器で、該ＡＶ機器１は、大きく分けて、表示部２，スピーカ３，テレビ部に相当するＴＶモジュール１０，レコーダ部に相当するＢＤモジュール２０で構成される。このＢＤモジュール２０は、ＢＤレコーダあるいはＢＤプレーヤのいずれであってもよいが、以下ではＣＤ，ＤＶＤ，ＢＤ等の光ディスクの記録・再生が可能なＢＤレコーダとして説明する。
【００２７】
ＴＶモジュール１０は、外部よりデジタルＴＶ放送の電波を受信して高周波ＴＶ信号に変換し、フロントエンド部１０２に出力するアンテナ１１と、アンテナ１１からの高周波ＴＶ信号を増幅し、希望局を選局し、搬送波により変調されている高周波ＴＶ信号を復調し、さらにＭＰＥＧ-２ＴＳ(Transport Stream)への復号，デインターリーブ等の処理を施してデジタルのＭＰＥＧ-ＴＳ（以下、単にＴＳという）を出力するフロントエンド部１２と、暗号を解除する手段であり、地上波デジタル放送やＢＳデジタル放送の場合にはＢ−ＣＡＳカードによる暗号解除を行うＣＡ（Conditional Access：条件付きアクセス）デスクランブル部１３とを備える。
【００２８】
また、ＴＶモジュール１０は、ＴＳを映像データ，音声データ，字幕データ等に分離するＭＰＥＧ２ＤＥＭＵＸ１４と、ＴＳの経路をアンテナ１１あるいはＢＤモジュール２０のいずれかに切り換えるためのスイッチ手段であるＴＳ経路切り換えＳＷ１５と、ＴＶモジュール１０を制御するＴＶモジュールＣＰＵ１６と、更新可能なファームウェア等のソフトウェアを記憶する不揮発性メモリ１７と、ＴＳ形式の映像データを復号し、表示部２に表示出力可能なデータ形式に変換して表示部２に出力する映像処理部１８と、ＴＳ形式の音声データを復号し、スピーカ３に音声出力可能なデータ形式に変換してスピーカ３に出力する音声処理部１９とを備える。
【００２９】
また、ＢＤモジュール２０は、本例ではＢＤレコーダであり、ＣＤ，ＤＶＤ，ＢＤなどの光ディスクの読み込み処理を行う光ディスクドライブ２１と、光ディスクからのデータの読み込み（再生）処理を制御する再生制御部２２と、光ディスクから読み込んだＴＳを映像データ，音声データ，字幕データ等に分離するＭＰＥＧ２ＤＥＭＵＸ２３と、ＢＤモジュール２０を制御するＢＤモジュールＣＰＵ２４と、更新可能なファームウェア等のソフトウェアを記憶する不揮発性メモリ２５と、ＴＳ形式の映像データを復号し、表示部２に表示出力可能なデータ形式に変換して表示部２に出力する映像処理部２６と、ＴＳ形式の音声データを復号し、スピーカ３に音声出力可能なデータ形式に変換してスピーカ３に出力する音声処理部２７とを備える。
【００３０】
本発明の主たる特徴部分は、ＴＶモジュールとＢＤレコーダモジュールなどの複数モジュールを組み合わせたＡＶ機器において、記録メディアを用いた１回のバージョンアップ処理により、複数モジュールのソフトウェアをバージョンアップできるようにすることである。このための構成として、ＣＤ，ＤＶＤ，ＢＤなどの光ディスクに、ＴＶモジュール１０のソフトウェアを更新するためのＴＶ用更新データと、ＢＤモジュール２０のソフトウェアを更新するためのレコーダ用更新データとを予め記録しておく。ＢＤモジュール２０は、光ディスクからＴＶ用更新データとレコーダ用更新データとを読み出して、レコーダ用更新データに基づいて、ＢＤモジュール２０のソフトウェアを更新すると共に、ＴＶ用更新データをトランスポートストリーム形式でＴＶモジュール１０に出力する。ＴＶモジュール１０は、ＢＤモジュール２０から出力されたＴＶ用更新データに基づいて、ＴＶモジュール１０のソフトウェアを更新する。
【００３１】
図２は、本発明のＡＶ機器によるソフトウェアバージョンアップ方法の一例を説明するためのフロー図である。まず、ＢＤモジュール２０に更新用ＢＤが挿入されたか否かを判定する（ステップＳ１）。この更新用ＢＤには、ＴＶ用更新データ（ＴＶ用バージョンアップソフトウェア）とレコーダ用更新データ（レコーダ用バージョンアップソフトウェア）とが予め記録されており、後述の図３〜図６に示すＰＣ（パーソナルコンピュータ）や専用のＢＤレコーダなどにより作成される。更新用ＢＤであるか否かを判定するための方法としては、例えばこの更新用ＢＤを作成する際に更新用ＢＤであることを示す識別情報を記録しておく。そして、挿入されたＢＤにこの識別情報が記録されていることを検出した場合に、更新用ＢＤと判定することができる。
【００３２】
ＢＤモジュール２０は、ステップＳ１において、ＢＤモジュール２０に更新用ＢＤが挿入されたと判定した場合（ＹＥＳの場合）、ＢＤモジュール２０のＢＤモジュールＣＰＵ２４からＴＶモジュール１０のＴＳ経路切り換えＳＷ１５にＴＳ経路を切り換えるためのコントロール信号を送出する（ステップＳ２）。ＴＶモジュール１０は、ＢＤモジュール２０からのコントロール信号を受けて、ＴＳ経路をチューナ側からＢＤ側に切り換える。また、ステップＳ１において、ＢＤモジュール２０に更新用ＢＤが挿入されないと判定した場合（ＮＯの場合）、ステップＳ１で処理を繰り返す。
【００３３】
次に、ＢＤモジュール２０は、ＴＶモジュール１０にＳＤＴＴ（ソフトウェアダウンロードトリガーテーブル）を送出して、ＴＶモジュール１０にダウンロードの準備を指示する（ステップＳ３）。このＳＤＴＴを送出する方法としては、更新用ＢＤにＳＤＴＴを予め記録しておく、あるいは、ＢＤモジュールＣＰＵ２４がＴＳ生成時に同時にＳＤＴＴを生成するなどの方法が考えられる。
【００３４】
ＢＤモジュール２０は、更新用ＢＤからレコーダ用バージョンアップソフトウェアを読み出して、ＢＤモジュール２０の不揮発性メモリ２５に記憶されている旧バージョンのソフトウェアを新バージョンのソフトウェアで書き換える。さらに、ＢＤモジュール２０は、更新用ＢＤからＴＶ用バージョンアップソフトウェアを読み出して、後述の図３〜図６の実施例に示すようなＴＳ形式でＴＶモジュール１０に出力する（ステップＳ４）。なお、ＴＶモジュール１０に出力されるＴＶ用バージョンアップソフトウェアのデータ形式は、パーシャルＴＳあるいはフルＴＳであって、衛星経由でのダウンロードと同様のＤＳＭ−ＣＣデータカルーセル形式のＴＳである。
【００３５】
最後に、ＴＶモジュール１０は、ＢＤモジュール２０から出力されたＴＶ用バージョンアップソフトウェアに基づいて、ＴＶモジュール１０の不揮発性メモリ１７に記憶されている旧バージョンのソフトウェアを新バージョンのソフトウェアで書き換える（ステップＳ５）。
【００３６】
このように本発明によれば、ＴＶモジュールとＢＤレコーダモジュールなどの複数モジュールを組み合わせたＡＶ機器において、記録メディアを用いた１回のバージョンアップ処理により、複数モジュールのソフトウェアをバージョンアップすることができる。
【００３７】
また、ＴＶモジュールとして、新規にソフトウェアのバージョンアップ機能を実装する必要がなく、通常の衛星経由でのダウンロードと同様の方法により、簡易な構成でコストをかけずにバージョンアップすることができる。
【００３８】
また、ＴＶモジュールのソフトウェアを記録メディアによりバージョンアップすることができるため、衛星経由でのバージョンアップのように搬送波の受信状態等に左右されることがない。
【００３９】
（実施例１）
図３は、本発明の実施例１に係るＡＶ機器を含むシステム構成例を示す図である。図中、４はＰＣ，５は更新用ＢＤを示す。本例では、ＰＣ４で更新用ＢＤ５を作成するが、更新用ＢＤ５にＴＶ用更新データとして１８８ｂｙｔｅ単位のフルＴＳをそのまま書き込む。なお、更新用ＢＤ５は、ＢＤ以外であってもよく、例えばＣＤやＤＶＤなどであってもよい。ＢＤモジュール２０は、更新用ＢＤ５からフルＴＳを読み出してメモリに展開し、メモリに展開したＴＳをＴＶモジュール１０に出力する。ＴＶモジュール１０では、フルＴＳに含まれるＤＩＩメッセージとＤＤＢメッセージとに基づいて、旧バージョンのソフトウェアを新バージョンのソフトウェアで書き換える。
【００４０】
ＤＤＢメッセージとＤＩＩメッセージは、前述したように、ＡＲＩＢ  ＳＴＤ−Ｂ２４（ＩＳＯ／ＩＥＣ  １３８１８−６）で定められており、ＢＤモジュール２０からＴＶモジュール１０に対して、これらのメッセージがデータカルーセル形式のＴＳで送信される。
【００４１】
本例の場合、衛星経由のダウンロードによる方法と同じフルＴＳを利用するため、ＴＶモジュール側ではＴＳ経路切り換えＳＷ１５を追加するだけでよく、バージョンアップのための特別な対応を行う必要がなく、最も簡易な構成で実現することができる。
【００４２】
（実施例２）
図４は、本発明の実施例２に係るＡＶ機器を含むシステム構成例を示す図である。図中、６は専用のＢＤレコーダを示す。本例では、専用のＢＤレコーダ６で更新用ＢＤ５を作成するが、ＢＤレコーダ６は自身のチューナでダウンロードしたフルＴＳをパーシャルＴＳに変換して更新用ＢＤ５に書き込む。ＢＤモジュール２０は、更新用ＢＤ５からパーシャルＴＳを読み出して、読み出したパーシャルＴＳをＴＶモジュール１０に出力する。ＴＶモジュール１０では、パーシャルＴＳに含まれるＤＩＩメッセージとＤＤＢメッセージとに基づいて、旧バージョンのソフトウェアを新バージョンのソフトウェアで書き換える。なお、専用のＢＤレコーダ６はＰＣであっても構わない。
【００４３】
本例の場合、衛星経由のダウンロードによる方法とは異なるパーシャルＴＳを利用するため、ＴＶモジュール側ではＴＳ経路切り換えＳＷ１５を追加することに加え、ＴＶモジュール１０をパーシャルＴＳによるバージョンアップに対応させておく必要がある。
【００４４】
（実施例３）
図５は、本発明の実施例３に係るＡＶ機器を含むシステム構成例を示す図である。本例では、ＰＣ４で更新用ＢＤ５を作成するが、ＰＣ４はＴＶ（これはＴＶモジュール１０以外のＴＶとする）でダウンロードしたフルＴＳをパーシャルＴＳ（すなわち、１９２ｂｙｔｅ単位のタイムスタンプ付きＴＳ）に変換して更新用ＢＤ５に書き込む。なお、更新用ＢＤ５は、ＢＤ以外であってもよく、例えばＣＤやＤＶＤなどであってもよい。後の処理は実施例２と同様であるが、ＢＤモジュール２０は、更新用ＢＤ５からパーシャルＴＳを読み出して、読み出したパーシャルＴＳをＴＶモジュール１０に出力する。ＴＶモジュール１０では、パーシャルＴＳに含まれるＤＩＩメッセージとＤＤＢメッセージとに基づいて、旧バージョンのソフトウェアを新バージョンのソフトウェアで書き換える。
【００４５】
本例の場合も、実施例２と同様に、衛星経由のダウンロードによる方法とは異なるパーシャルＴＳを利用するため、ＴＶモジュール側ではＴＳ経路切り換えＳＷ１５を追加することに加え、ＴＶモジュール１０をパーシャルＴＳによるバージョンアップに対応させておく必要がある。
【００４６】
（実施例４）
図６は、本発明の実施例４に係るＡＶ機器を含むシステム構成例を示す図である。本例では、ＰＣ４で更新用ＢＤ５を作成するが、更新用ＢＤ５にＴＶ用更新データとしてＤＩＩメッセージとＤＤＢメッセージのバイナリデータを書き込む。なお、更新用ＢＤ５は、ＢＤ以外であってもよく、例えばＣＤやＤＶＤなどであってもよい。ＢＤモジュール２０は、更新用ＢＤ５からバイナリデータを読み出しながらパーシャルＴＳに変換し、変換したパーシャルＴＳをＴＶモジュール１０に出力する。例えば、ＢＤモジュール２０は、バイナリデータにＰＳＩ／ＳＩ(Program Specific Information/Service Information)を挿入することにより、パーシャルＴＳに変換する。
【００４７】
本例の場合も、実施例２，３と同様に、衛星経由のダウンロードによる方法とは異なるパーシャルＴＳを利用するため、ＴＶモジュール側ではＴＳ経路切り換えＳＷ１５を追加することに加え、ＴＶモジュール１０をパーシャルＴＳによるバージョンアップに対応させておく必要がある。
【００４８】
上記の実施例２〜４においては、ＢＤモジュール２０からＴＶモジュール１０に対して、パーシャルＴＳ形式でＴＶ用バージョンアップソフトウェアを送信しているが、この場合、ＴＶモジュール１０側ではパーシャルＴＳによるバージョンアップに対応させておく必要がある。
【００４９】
一般的なＴＶでは、フルＴＳの選局には対応しているが、パーシャルＴＳの選局には対応していない。そこで、まず第１に、ＴＶモジュール１０に対して、パーシャルＴＳによる選局を行えるようにして、パーシャルＴＳを受信できるようにする。第２に、パーシャルＴＳを解析して、ＤＤＢメッセージとＤＤＩメッセージを構築できるようにする。そして、第３に、放送波によるバージョンアップの場合は、ＳＤＴＴの時間をトリガとしてバージョンアップを開始できるようにする。一方、本発明によるバージョンアップでは、ＢＤモジュール２０からＴＶモジュール１０に擬似的なＳＤＴＴ（図２）を送出し、これをトリガとして更新用ＢＤ５によるバージョンアップを行うようにする。なお、バージョンアップの開始指示は、図示しないリモコン装置等から行うことができる。
【００５０】
ここで、ＴＶモジュール１０側をパーシャルＴＳに対応させることなく、パーシャルＴＳによるバージョンアップを行うための方法として、ＢＤモジュール２０が、パーシャルＴＳにＮＵＬＬパケットを挿入することにより、パーシャルＴＳをフルＴＳに変換し、変換したフルＴＳをＴＶモジュール１０に出力するようにしてもよい。
【００５１】
このようにすることで、実施例１と同様に、衛星経由のダウンロードによる方法と同じフルＴＳを利用することができ、ＴＶモジュール側ではＴＳ経路切り換えＳＷ１５を追加するだけでよく、バージョンアップのための特別な対応を行う必要がなくなる。
【図面の簡単な説明】
【００５２】
【図１】本発明の一実施形態に係るＡＶ機器の要部構成例を示すブロック図である。
【図２】本発明のＡＶ機器によるソフトウェアバージョンアップ方法の一例を説明するためのフロー図である。
【図３】本発明の実施例１に係るＡＶ機器を含むシステム構成例を示す図である。
【図４】本発明の実施例２に係るＡＶ機器を含むシステム構成例を示す図である。
【図５】本発明の実施例３に係るＡＶ機器を含むシステム構成例を示す図である。
【図６】本発明の実施例４に係るＡＶ機器を含むシステム構成例を示す図である。
【図７】従来のテレビ装置及びＢＤプレーヤにおけるソフトウェアバージョンアップ方法を説明するためのブロック図である。
【符号の説明】
【００５３】
１…ＡＶ機器、２…表示部、３…スピーカ、４…ＰＣ、５…更新用ＢＤ、６…専用ＢＤレコーダ、１０…ＴＶモジュール、１１…アンテナ、１２…フロントエンド部、１３…ＣＡデスクランブル部、１４，２３…ＭＰＥＧ２ＤＥＭＵＸ、１５…ＴＳ経路切り換えＳＷ、１６…ＴＶモジュールＣＰＵ、１７，２５…不揮発性メモリ、１８，２６…映像処理部、１９，２７…音声処理部、２０…ＢＤモジュール、２１…光ディスクドライブ、２２…再生制御部、２４…ＢＤモジュールＣＰＵ。
【図１】
2010041681.tif 000003
【図２】
2010041681.tif 000004
【図３】
2010041681.tif 000005
【図４】
2010041681.tif 000006
【図５】
2010041681.tif 000007
【図６】
2010041681.tif 000008
【図７】
2010041681.tif 000009